(57)【要約】【課題】  避難装置の提供。【解決手段】  第１座体、第２座体、グリップ機構、懸掛機構、及びロープを包含し、該第１座体に固定プーリ及び制動片が設けられ、並びに固定プーリが制動片を緊迫し、第２座体の一側が第１座体に枢設され、別側が第１座体に設けられた係合機構と係合し、グリップ機構は第２座体に接続され、グリップ機構の第１座体の固定プーリに対向する一端に可動プーリが設けられ、可動プーリと固定プーリの間に位置ずれ制動メカニズムが発生し、懸掛機構はグリップ機構の底端に設けられ、ロープの一端はビルに固設され、並びに可動プーリと固定プーリの間に位置し、これにより、ビル避難構造の操作の簡便性と安全性、経済性が高められ、且つ一般に広く応用が推奨される避難装置とされる。【選択図】        図１
2007014411.tif 000002
【特許請求の範囲】
【請求項１】
避難装置において、
複数の固定プーリと一つの制動片が固設され、該固定プーリが該制動片を緊密に圧迫する、第１座体と、
一側が第１座体と枢設され、別側と該第１座体との間に係合機構が設けられ、並びに開放溝が設けられた、第２座体と、
リンク機構とされて上ロッド、下ロッド及び該上ロッドと下ロッドの間を連結する少なくとも一つの縦ロッドを具え、該上ロッドと下ロッドが該第２座体の該開放溝に嵌入され、第２座体に枢設され、該上ロッド及び該下ロッドの該第１座体の固定プーリに対向する一端に可動プーリが設けられた、グリップ機構と、
該グリップ機構の底端に設置され、収容部品を具え、該収容部品に弾性部品が収容され並びに少なくとも一つの溝が設けられた、懸掛機構と、
一端がビルに固定され、並びに該可動プーリと該固定プーリの間に設けられた、ロープと、
を包含したことを特徴とする、避難装置。
【請求項２】
請求項１記載の避難装置において、第１座体と第２座体が対向する開口状を呈することを特徴とする、避難装置。
【請求項３】
請求項１記載の避難装置において、第１座体が内壁と両側壁を包含して収容空間を形成することを特徴とする、避難装置。
【請求項４】
請求項１記載の避難装置において、係合機構が第１座体に設けられた係止部品と第２座体に設けられた係合部品を包含することを特徴とする、避難装置。
【請求項５】
請求項４記載の避難装置において、係合部品が第１係合アーム、第２係合アーム及び第１係合アームと第２係合アームが形成する係合溝を包含し、該第２係合アームが活動可能に第２座体に枢設されたことを特徴とする、避難装置。
【請求項６】
請求項５記載の避難装置において、第２係合アームと第２座体の枢設部分にねじりバネが設けられたことを特徴とする、避難装置。
【請求項７】
請求項５記載の避難装置において、第２係合アームに駆動部品が設けられたことを特徴とする、避難装置。
【請求項８】
請求項１記載の避難装置において、縦ロッドが外縦ロッドと内縦ロッドを包含することを特徴とする、避難装置。
【請求項９】
請求項１記載の避難装置において、可動プーリが固定プーリと位置がずれた状態で対応するよう配列されたことを特徴とする、避難装置。
【請求項１０】
請求項１記載の避難装置において、弾性部品に係止リングが設けられたことを特徴とする、避難装置。
【請求項１１】
請求項１記載の避難装置において、弾性部品がバネ或いは板バネとされたことを特徴とする、避難装置。
【発明の詳細な説明】
【技術分野】
【０００１】
本発明は一種の避難装置に係り、特に、操作が簡便で、高い安全避難効率を有するビル用安全避難装置に関する。
【背景技術】
【０００２】
現代社会はビルが林立し、このためビル火災の安全構造も相当に重要であり、一般にビル災害中、最もよく目にされるのは火災であり、火災により多くの人命、財産が失われ、社会に大きな負担をもたらす。このため社会大衆は火災に対して一般に警戒しているが、火災が発生した場合には、リアルタイムで使用できる避難装置が生命の安全を保障する最後の手段となる。
【０００３】
現在使用されているビル用避難装置の種類は非常に多いが、機能が確実で安全であり、一般大衆が採用できるものは稀であり、このような避難装置は製造コストが高く普及しにくいか、また構造が複雑であり故障しやすいか、或いは体積が大きく設置しにくいか、操作に不便で避難の障害となり、いずれも理想的でない。
【発明の開示】
【発明が解決しようとする課題】
【０００４】
本発明の目的は、一種の避難装置を提供することにあり、それは操作が簡便で極めて良好な安全性を具え、臨場応用操作に便利で、災害現場より避難することができ、生命の安全を確保できるものとする。
【０００５】
本発明の別の目的は、一種の避難装置を提供することにあり、それは体積が小さく、設置が容易な長所を有し、これにより迅速に設置、使用でき、緊急避難の安全効率を達成できるものとする。
【０００６】
本発明の更に別の目的は、一種の避難装置を提供することにあり、その構造設計は簡単で強固であり、安全避難効果が確実で、製造コストにおいて経済的であり、一般に推奨され得て、社会の安全性、安定性を増すことができるものとする。
【０００７】
本発明は一種の避難装置を提供し、それは固定プーリと制動片が固設され並びに固定プーリが制動片を圧迫する第１座体、一側が第１座体に枢設され、別側が第１座体との間に設けられた係合機構により第１座体と相互に係合し、且つ開放溝が設けられ、グリップ機構が第２座体の開放溝に嵌入しグリップ機構の第１座体の固定プーリに対応する一端に可動プーリが設けられ、可動プーリと固定プーリの間に制動関係が形成される第２座体、グリップ機構の底端に設けられて人を懸吊して避難させる懸掛機構、一端がビルに固定され、並びに可動プーリと固定プーリの間に設けられ、安全避難の機能を具備するロープ、以上を包含する。
【課題を解決するための手段】
【０００８】
請求項１の発明は、避難装置において、
複数の固定プーリと一つの制動片が固設され、該固定プーリが該制動片を緊密に圧迫する、第１座体と、
一側が第１座体と枢設され、別側と該第１座体との間に係合機構が設けられ、並びに開放溝が設けられた、第２座体と、
リンク機構とされて上ロッド、下ロッド及び該上ロッドと下ロッドの間を連結する少なくとも一つの縦ロッドを具え、該上ロッドと下ロッドが該第２座体の該開放溝に嵌入され、第２座体に枢設され、該上ロッド及び該下ロッドの該第１座体の固定プーリに対向する一端に可動プーリが設けられた、グリップ機構と、
該グリップ機構の底端に設置され、収容部品を具え、該収容部品に弾性部品が収容され並びに少なくとも一つの溝が設けられた、懸掛機構と、
一端がビルに固定され、並びに該可動プーリと該固定プーリの間に設けられた、ロープと、
を包含したことを特徴とする、避難装置としている。
請求項２の発明は、請求項１記載の避難装置において、第１座体と第２座体が対向する開口状を呈することを特徴とする、避難装置としている。
請求項３の発明は、請求項１記載の避難装置において、第１座体が内壁と両側壁を包含して収容空間を形成することを特徴とする、避難装置としている。
請求項４の発明は、請求項１記載の避難装置において、係合機構が第１座体に設けられた係止部品と第２座体に設けられた係合部品を包含することを特徴とする、避難装置としている。
請求項５の発明は、請求項４記載の避難装置において、係合部品が第１係合アーム、第２係合アーム及び第１係合アームと第２係合アームが形成する係合溝を包含し、該第２係合アームが活動可能に第２座体に枢設されたことを特徴とする、避難装置としている。
請求項６の発明は、請求項５記載の避難装置において、第２係合アームと第２座体の枢設部分にねじりバネが設けられたことを特徴とする、避難装置としている。
請求項７の発明は、請求項５記載の避難装置において、第２係合アームに駆動部品が設けられたことを特徴とする、避難装置としている。
請求項８の発明は、請求項１記載の避難装置において、縦ロッドが外縦ロッドと内縦ロッドを包含することを特徴とする、避難装置としている。
請求項９の発明は、請求項１記載の避難装置において、可動プーリが固定プーリと位置がずれた状態で対応するよう配列されたことを特徴とする、避難装置としている。
請求項１０の発明は、請求項１記載の避難装置において、弾性部品に係止リングが設けられたことを特徴とする、避難装置としている。
請求項１１の発明は、請求項１記載の避難装置において、弾性部品がバネ或いは板バネとされたことを特徴とする、避難装置としている。
【発明の効果】
【０００９】
本発明は第１座体、第２座体、グリップ機構、懸掛機構、及びロープを包含し、該第１座体に固定プーリ及び制動片が設けられ、並びに固定プーリが制動片を緊迫し、第２座体の一側が第１座体に枢設され、別側が第１座体に設けられた係合機構と係合し、グリップ機構は第２座体に接続され、グリップ機構の第１座体の固定プーリに対向する一端に可動プーリが設けられ、可動プーリと固定プーリの間に位置ずれ制動メカニズムが発生し、懸掛機構はグリップ機構の底端に設けられ、ロープの一端はビルに固設され、並びに可動プーリと固定プーリの間に位置し、これにより、ビル避難構造の操作の簡便性と安全性、経済性が高められ、且つ一般に広く応用が推奨される避難装置とされる。
【発明を実施するための最良の形態】
【００１０】
図１、２、及び図３に示されるように、本発明の避難装置は、第１座体１０、第２座体２０、グリップ機構３０を包含し、該第１座体１０は開口を具えた略Ｕ形を呈し、それは内壁１１及び両側壁１２、１３を包含し、並びに全体が収容空間１４を形成し、そのうち該内壁１１には制動片１５が固定され、両側壁１２、１３の間に複数の固定プーリ１６が設けられ、制動片１５と固定プーリ１６が収容空間１４内に位置し、且つ固定プーリ１６が緊密に制動片１５に圧接している。別に、該第１座体１０の開口の一側に枢設耳１７が設けられ、該枢設耳１７の対向側に係止部品１８が設けられている。
【００１１】
該第２座体２０は開口を具えた略Ｕ形を呈し、それは内壁２１及び両側壁２２、２３を具え、並びに全体が一つの収容空間２４を形成し、そのうち、該内壁２１の所定位置に縦向きの開放溝２５が設けられている。また、該第２座体２０の第１座体１０の枢設耳１７に対応する部分に枢設耳スリーブ２６が設けられ、該枢設耳１７と枢設耳スリーブ２６はピンで枢設され、これにより第１座体１０と第２座体２０の一側が枢設の接続状態を呈する。該第２座体２０の第１座体１０の係止部品１８に対応する部分には係合部品２７が設けられ、該係合部品２７は更に第１係合アーム２７１、第２係合アーム２７２と第１、第２係合アーム２７１、２７２が形成する係合溝２７３を包含し、そのうち、第２係合アーム２７２は活動可能に第２座体２０に枢設され、並びに枢設部分にねじりバネ２７４が設けられ、該ねじりバネ２７４の弾性により第２係合アーム２７２が第１係合アーム２７１と形成する係合位置に圧接され、更に、第２係合アーム２７２に駆動部品２７５が設けられ、第２係合アーム２７２の駆動に便利とされている。
【００１２】
該グリップ機構３０はリンク機構を呈し、それは上ロッド３１、下ロッド３２、外縦ロッド３３及び内縦ロッド３４を包含する。そのうち、上ロッド３１と下ロッド３２は第２座体２０の開放溝２５に嵌入されて該収容空間２４内に進入し、並びに位置決めピン２５１、２５２により上ロッド３１と下ロッド３２が上下の対応状態を呈するように内壁２１に枢設され、該上ロッド３１と下ロッド３２の該収容空間２４内に位置する一端に、それぞれ可動プーリ３５、３６が枢設され、該可動プーリ３５、３６は固定プーリ１６と位置がずれた状態に対応し配列される。該外縦ロッド３３及び内縦ロッド３４はそれぞれ上ロッド３１、下ロッド３２の外側及び内側に枢設され、全体が平行四辺形の連接棒装置を呈する。
【００１３】
更に、該グリップ機構３０の底端には懸掛機構３７が設けられ、該懸掛機構３７は収容部品３７１を具え、該収容部品３７１は収容空間３７２を具え、弾性部品３７３を収容し、該弾性部品３７３はバネ或いは板バネとされ、弾性部品３７３の外縦ロッド３３に対応する一端に係止リング３７５が設けられ、安全補助装置の係止に供され、収容部品３７１の両側に溝３７７が設けられ並びに相互に対応する。別にロープ４０は一般の避難装置の安全ロープと同様であり、その一端はビルの各階のベランダ部分に固定され、本発明を結合して安全避難の機能を達成するのに用いられる。
【００１４】
図４を続いて参照されたい。本発明を避難に使用する時には、まずビルに固定されたロープ４０を組合せる。即ち、ロープ４０を固定プーリ１６と可動プーリ３５、３６の間に置き、更に第１座体１０の係止部品１８を第２座体２０の係合部品２７の係合溝２７３内に挿入し、第１座体１０と第２座体２０を係合させ、並びに固定プーリ１６及び可動プーリ３５、３６にロープ４０を緊密に圧迫させ、これは図５に示されるようである。反対に、ロープ４０を開放したい時は、第２係合アーム２７２を駆動して係止部品１８を係合部品２７の係合溝２７３より退出させて、第１座体１０と第２座体２０の係合状態を解除すれば、ロープ４０を係止部品１８と係合部品２７の係合部分より退出させられ、これは図４に示されるようである。
【００１５】
続いて図６、７に示されるように、避難操作時には、片手でロープ４０を握持し、もう一方の手でグリップ機構３０を握持し、且つ安全補助装置例えば安全ベルト５０を懸掛機構３７の係止リング３７５に係止する。本発明のグリップ機構３０は梃子の原理を運用し、即ち位置決めピン２５１、２５２を支点とし、係止リング３７５の位置で弾性部品３７３が使用者の体重の影響を受けて自動的に位置調整され、自動的に使用者の下降の速度を制御する。即ち体重が比較的軽い使用者は弾性部品３７３を圧縮する距離が体重が重い使用者が弾性部品３７３を圧縮する距離より少なく、この時、グリップ機構３０は人体重量により連接棒変形を発生し、梃子の原理と同様に、可動プーリ３５、３６が固定プーリ１６との間で更にロープ４０を圧迫し、また一方で固定プーリ１６が制動片１５の抵抗力を受けて重量がグリップ機構３０にかかる時に安定した下降の根拠を得て、これにより安全にビル火災現場からの避難を行わせる。このほか、本発明の運用において、同一のロープ４０において複数の避難者の避難に供され、それは一般の避難装置が一本のロープで一人しか避難させられないのとは異なり、ゆえに避難速度を高めて死傷人数を減らすことができる。
【図面の簡単な説明】
【００１６】
【図１】本発明の立体図である。
【図２】本発明の平面断面図である。
【図３】本発明の側面断面図である。
【図４】本発明の組合せ前の平面断面図である。
【図５】本発明の組合せ後の平面断面図である。
【図６】本発明の作動操作表示図である。
【図７】本発明の避難操作表示図である。
【符号の説明】
【００１７】
１０  第１座体            １１  内壁
１２  側壁                ２７２  第２係合アーム
１３  側壁                ２７３  係合溝
１４  収容空間            ２７４  ねじりバネ
１５  制動片              ２７５  駆動部品
１６  固定プーリ          ３０  グリップ機構
１７  枢設耳              ３１  上ロッド
１８  係止部品            ３２  下ロッド
２０  第２座体            ３３  外縦ロッド
２１  内壁                ３４  内縦ロッド
２２  側壁                ３５  可動プーリ
２３  側壁                ３６  可動プーリ
２４  収容空間            ３７  懸掛機構
２５  開放溝              ３７１  収容部品
２５１  位置決めピン      ３７２  収容空間
２５２  位置決めピン      ３７３  弾性部品
２６  枢設耳スリーブ      ３７５  係止リング
２７  係合部品            ３７７  溝
２７１  第１係合アーム    ４０  ロープ
【図１】
2007014411.tif 000003
【図２】
2007014411.tif 000004
【図３】
2007014411.tif 000005
【図４】
2007014411.tif 000006
【図５】
2007014411.tif 000007
【図６】
2007014411.tif 000008
【図７】
2007014411.tif 000009